(57)【要約】【課題】落石、土砂崩れ、雪崩などの落下物の運動エネルギを吸収することができる衝撃吸収袋体及びそれを用いた防護柵を提供する。【解決手段】布袋２内に砂などの粒状物が充填され、落石などの衝突対象物の運動エネルギを吸収する衝撃吸収袋体１である。衝撃吸収袋体１は、縫合部分１ａ，１ｂを有する。各縫合部分１ａ，１ｂは、布袋２の外側面２ａの一部どうしを重ねて接触させ、その接触状態を維持するように縫合糸３にて縫合して形成される。【選択図】  図１
2014070390.tif 000002
【特許請求の範囲】
【請求項１】
布袋内に砂などの粒状物が充填され、落石などの衝突対象物の運動エネルギを吸収する衝撃吸収袋体であって、
前記布袋の外側面の一部どうしを重ねて接触させ、その接触状態を維持するように縫合糸状材にて縫合している縫合部分を備えることを特徴とする衝撃吸収袋体。
【請求項２】
前記縫合糸状材は、前記布袋を織成している織糸よりも強度が劣るものである請求項１記載の衝撃吸収袋体。
【請求項３】
前記縫合部分は、前記布袋の一側に形成され、前記布袋の他側を、前記衝突対象物を衝突させる部分としている請求項１または２記載の衝撃吸収袋体。
【請求項４】
請求項１〜３のいずれか１つに記載の衝撃吸収袋体を単数若しくは複数個配置することで構成され、落石などの衝突対象物の運動エネルギを吸収する防護柵であって、
前記各衝撃吸収袋体を、前記衝突対象物が移動してくると予想される方向に、前記縫合部分を除く外側面を対向させていることを特徴とする防護柵。
【発明の詳細な説明】
【技術分野】
【０００１】
本発明は、衝突した衝突対象物の運動エネルギを吸収する衝撃吸収袋体及びそれを用いた防護柵に関する。
【背景技術】
【０００２】
従来より、たとえば、落石、土砂崩れ、雪崩などの落下物（衝突対象物）がある場所に、防護柵として機能させるべく、布袋内に土砂が充填された土嚢を並べて設置することが行われている。
【０００３】
そのような土嚢は、布袋内に土砂が充填されただけであるので、緩衝効果が十分でなく、より高めたいという要求がある。
【０００４】
また、そのような土砂に代えて、古タイヤの粉砕チップや発泡スチロールの粉砕チップを、布袋やゴム袋などの布袋内に封止して用いることで、均一な緩衝効果を得られる保護構造物も提案されている（例えば、特許文献１参照）。
【先行技術文献】
【特許文献】
【０００５】
【特許文献１】特開平９−２２１７２０号公報（段落００１６および図４）
【発明の概要】
【発明が解決しようとする課題】
【０００６】
前記特許文献１記載のものでは、布袋内に、土砂ではなく、古タイヤの粉砕チップや発泡スチロールの粉砕チップを用いるので、古タイヤの粉砕チップや発泡スチロールの粉砕チップを大量に製造する必要がある。
【０００７】
発明者は、そのような粉砕チップを用いることなく、従来の、布袋内に土砂等の粒状物が充填された土嚢の構造を工夫することで、緩衝効果を高められることに着想し、本発明をなしたものである。
【０００８】
そこで、本発明は、緩衝効果を高め、落石、土砂崩れ、雪崩などの落下物を含む衝突対象物の運動エネルギを吸収することができる衝撃吸収袋体及びそれを用いた防護柵を提供することを目的とする。
【課題を解決するための手段】
【０００９】
請求項１の発明は、布袋内に砂などの粒状物が充填され、落石などの衝突対象物の運動エネルギを吸収する衝撃吸収袋体であって、前記布袋の外側面の一部どうしを重ねて接触させ、その接触状態を維持するように縫合糸状材にて縫合している縫合部分を備えることを特徴とする。ここで、縫合糸状材とは、布袋を縫製できるもので、糸、紐などの糸状材が用いられる。
【００１０】
このようにすれば、衝突対象物（例えば、落石などの落下物）が衝突すると、その際の衝突対象物の運動エネルギによって、衝突対象物が布袋内の粒状物を移動させ、布袋を、縫合がない、もとの形状に戻そうとする。その際、縫合糸状材が切断され、その切断に前記運動エネルギが消費され、衝突対象物が持つ運動エネルギを吸収する。これにより、衝突対象物は、衝撃吸収袋体の設置場所付近に停止する。つまり、衝突により周辺に移動することなく、その設置場所付近に留まる。
【００１１】
この場合、請求項２に記載のように、前記縫合糸状材は、前記布袋を織成している織糸よりも強度が劣るものであることが望ましい。
【００１２】
このようにすれば、布袋が破損する前に、前記縫合糸状材が破断するので、衝突対象物の運動エネルギを、布袋を破ることなく、吸収することができる。
【００１３】
請求項３に記載のように、前記縫合部分は、前記布袋の一側に形成され、前記布袋の他側を、前記衝突対象物を衝突させる部分とすることが望ましい。
【００１４】
このようにすれば、衝突対象物を、縫合がない部分に衝突させるので、布袋内部の粒状物の動きを大きくでき、布袋の変形で縫合糸状材を切断させる衝撃吸収効果を高めることができる。
【００１５】
請求項４の発明は、請求項１〜３のいずれか１つに記載の衝撃吸収袋体を単数若しくは複数個配置することで構成され、落石などの衝突対象物の運動エネルギを吸収する防護柵であって、前記各衝撃吸収袋体を、前記衝突対象物が移動してくると予想される方向に、縫合部分を除く外側面を対向させていることを特徴とする。
【００１６】
このようにすれば、衝突対象物の衝突により、布袋内の粒状物が大きく移動しようとして、布袋全体が変形し、その変形により縫合糸状材が切断され、その切断により衝突対象物の運動エネルギが吸収される。衝突対象物を受け止める防護機能が発揮される。
【発明の効果】
【００１７】
本発明は、上記のように、衝突対象物（例えば、落石などの落下物）が衝突することにより、縫合糸状材の切断によって前記運動エネルギを吸収するので、衝突対象物を、衝撃吸収袋体付近に停止させることができる。
【図面の簡単な説明】
【００１８】
【図１】本発明の衝撃吸収袋体の一実施の形態を示す説明図である。
【図２】（ａ）（ｂ）はそれぞれ衝撃吸収の原理の説明図である。
【図３】前記衝撃吸収袋体を用いた防護柵の一実施の形態を示す説明図である。
【図４】（ａ）（ｂ）はそれぞれ他の実施の形態の説明図である。
【発明を実施するための形態】
【００１９】
以下、本発明の実施の形態を図面に沿って説明する。
【００２０】
図１は本発明の衝撃吸収袋体の一実施の形態を示す説明図である。
【００２１】
図１に示すように、衝撃吸収袋体１は、土砂などの、多数の粒状物（図示せず）が、縦長で円筒状の布袋２（例えば、麻などの天然繊維製あるいはポリエチレンなどの合成繊維製）内に充填されたものである。
【００２２】
布袋２は、それの外側面２ａの一部どうしを重ねて接触させ、縫合糸状材としての縫合糸３にて、外側面２ａどうしの接触状態を維持するように接触部分の周囲が縫合されている。図１に示す実施の形態では、２つの縫合部分１ａ，１ｂを有する。なお、衝撃吸収袋体１は、前述した縫合が終了した後の布袋２内に前記粒状物を所定量充填することで形成される。もちろん、前記粒状物の充填口は、周知の土嚢と同様に紐などを用いて確実に閉じられる。これにより、縫合部分１ａ，１ｂで接触している外側面２ａの反対側である内側面には、充填される前記粒状物が接触することになる。
【００２３】
縫合糸３は、布袋２を織成している織糸よりも強度が劣るもので、布袋２が破れるのに先立って切断されるように構成されている。この縫合糸３の切断によって、落石などの衝突対象物が衝撃吸収袋体１に衝突した際の、前記衝突対象物の運動エネルギが吸収される。また、布袋２が破れることがないので、充填されている粒状物が周辺に飛び散ることもない。
【００２４】
この衝撃吸収袋体１によれば、例えば落石などの落下物が布袋２に衝突し、図２（ａ）に示すように、Ａ方向に荷重を作用させると、粒状物が布袋２内で動き、その際の落下物の運動エネルギの一部を吸収して、緩衝効果が発揮される。前記落下物の運動エネルギが大きい場合には、布袋２内の粒状物を大きく動かし、布袋２の全体形状を、縫合前のもとの形状に戻そうとする。つまり、前記粒状物が移動によって、縫合により接触している外側面１ａ，１ａが互いに離れる方向に移動させようとする。その移動させようとする力の程度に応じて、縫合糸３が、外側から中心側に向かって徐々に切断され、図２（ｂ）に示す状態へと変化していく。この縫合糸３の切断によって、粒状物の移動によるエネルギ吸収と、縫合糸３の切断によるエネルギ吸収とが相俟って、より一層の緩衝効果が発揮される。これにより、落下物は、運動エネルギを吸収され、衝撃吸収袋体１付近に停止し、移動することなく、その場所に留まる。
【００２５】
このように、落下物の運動エネルギを、粒状物の移動だけでなく、布袋２を縫合する縫合糸３の切断によっても吸収し、落下物の運動エネルギを大幅に低減させるので、落下物のさらなる、周辺への移動を抑制することができる。
【００２６】
一方、前記運動エネルギが小さい場合には、落下物が布袋２内の粒状物を移動させようとしても、内部の粒状物の小さな移動が起こるだけで、縫合糸３の切断までには至らず、落下物は、衝撃吸収袋体１付近の場所に停止する。
【００２７】
衝撃吸収袋体１は、例えば図３に示すように、道路沿いの崖１１の下に複数個並んで設置し、落石、雪崩、崩壊土砂等の防護柵として使用することができる。この衝撃吸収袋体１は、支持柵１２によって道路側に移動しないように支持されている。さらに、設置している複数の衝撃吸収袋体１全体を網などで覆うようにして、支持柵１２と一体化するようにしてもよい。なお、複数個の衝撃吸収体１を用いるのではなく、単数の衝撃吸収体１でもって防護柵を構成するようにしてよいのはいうまでもない。
【００２８】
この場合、衝撃吸収袋体１は、前記衝突対象物が移動してくると予想される方向に、縫合部分１ａ，１ｂを除く外側面２ａつまり縫合部分が設けられていない外側面を対向させて設置される。これにより、衝突対象物が衝突すると、布袋２内で、縫合部分１ａ，１ｂを開かせるように粒状物が大きく動き、縫合糸３を切断させる。よって衝突対象物の運動エネルギが大きい場合であっても、縫合糸３が切断されることによって、衝突対象物の運動エネルギを吸収できる。
【００２９】
本発明は、前記実施の形態に制限されることなく、次のように変更して実施することができる。
【００３０】
(i)前記粒状物としては、土砂に限定されることなく、石（自然石、砕石など）、木片、木質チップなど、圧縮強度が高く容易に圧縮崩壊しないものであれば用いることができ、また、設置場所や設置目的などに応じて、これらを２つ以上選択して混合して用いることも可能である。
【００３１】
(ii)前記衝撃吸収袋体は、縫合部分の数については特に制限されず、例えば図４（ａ）に示すように、１つの縫合部分１ａを有する衝撃吸収袋体１Ａとしても、同様な効果が得られる。また、前記縫合部分の大きさは、設置場所や設置目的、布袋の大きさなどによって、適宜変更することができる。
【００３２】
(iii)また、例えば図４（ｂ）に示すように、衝撃吸収袋体１Ｂの縫合部分１ａ，１ｂを衝撃吸収袋体１Ｂの一側に片寄るように形成することも可能である。このようにすれば、布袋２の他側の外側面を、前記衝突対象物が移動してくると予想される方向に対向させて設置することができ、運動エネルギの吸収効果を高めることができる。
【００３３】
(iv)前記衝撃吸収袋体の設置場所は、崖下などに限らず、落下物や衝突対象物の運動エネルギを緩和して、前記落下物や衝突対象物の、周辺への移動を抑制する必要がある場所に設けることで、同様な効果が得られる。この場合、前述した衝撃吸収袋体１，１Ａ，１Ｂのうち２つ以上を選択して併用することができ、また、それらとは異なる縫合部分を有する衝撃吸収袋体をさらに選択して併用することも可能である。
【符号の説明】
【００３４】
１，１Ａ，１Ｂ    衝撃吸収袋体
１ａ，１ｂ    縫合部分
２    布袋
２ａ    外側面
３    縫合糸（縫合糸状材）
【図１】
2014070390.tif 000003
【図２】
2014070390.tif 000004
【図３】
2014070390.tif 000005
【図４】
2014070390.tif 000006